(57)【特許請求の範囲】
【請求項１】
可撓性を有する導管と、該導管内に摺動自在に挿通した可撓性を有する内索とからなるコントロールケーブルにおける、複数系統のコントロールケーブルを接続中継するための装置であって、ケーシングと、該ケーシング内に摺動自在に組み込まれ、かつ前記内索の中間部に固着されたニップルを係合し得る係合孔が穿設されたジョイントピースとからなるコントロールケーブル用中間接手において、常態では前記ジョイントピースは前記ケーシング内の被操作手段側に位置し、前記ジョイントピースに穿設された複数個の前記係合孔がそれぞれ長孔であると共に一方の前記係合孔の操作手段側に一系統の前記内索の中間部に固着された一方の前記ニップルが係合当接し、更に前記ジョイントピースに穿設された他方の前記係合孔の被操作手段側に、他系統の前記内索の中間部に固着された他方の前記ニップルを係合当接させたことを特徴とするコントロールケーブル用中間接手。
【発明の詳細な説明】
【発明の属する技術分野】
本発明は複数のコントロールケーブルを用いて複数又は特定の被操作手段を選択的に適宜遠隔操作し得る中間接手に関する。
【０００１】
【従来の技術】
従来技術の事例は色々有るが、その一例を自転車のブレーキ装置について説明すると、自転車のブレーキは従来ハンドルに装着された左右のブレーキレバーによって右は前輪、左は後輪と別々に作動させるものが殆どである。ブレーキを操作する場合、安全のため両手で前記ブレーキレバーを適当に操作し、手加減で前輪よりも後輪のブレーキを先に掛けるようにする。しかし咄嗟の危険回避で緊急ブレーキを掛けた場合、適度の力配分が出来ず、前輪のブレーキが後輪のブレーキよりも先に作動して転倒するなどの危険性が極めて高く、又片手運転を余儀なくされた場合、右手での前輪ブレーキだけの操作では、前記と同様の危険があるので、安全上左手で後輪のブレーキを操作することになるが、後輪のブレーキ操作だけでは前輪ブレーキの併用に比べて制動距離が遥かに長いので、いずれにしても危険であることに変りはない。
【０００２】
この様な不具合を解消するために、特開昭53−69341号公報の発明など、中間接手に関する多数の発明や考案が成されている。前記の発明は、自転車の、ブレーキレバーの左右いずれか一方のみを操作しても、前輪後輪が同時に作動する構造になっている。
【０００３】
【発明が解決しようとする課題】
一般に前記のような発明が普及していない理由として、日本工業規格（ＪＩＳ）「一般自転車」D9301のブレーキに関する條項で「自転車は、前車輪・後車輪のそれぞれを制動する別系統のブレーキを装備しなければならない。」と言う制約が有るので、採用されていないのが現状である。
上記の不備を解消するために、特公昭５５−２２３１２号公報や、特公平７−６１７９３号の公報などの発明が成されている。しかしながら、前者の発明においては前輪後輪のブレーキ装置が完全に別系統になっておらず、又後者の発明においては前輪後輪のブレーキ装置が構造上別系統のものに属するが、その構造が極めて複雑で、物理的に装置が大きくなることは避け得べくもない。
【０００４】
【課題を解決するための手段】
本発明は上記のような欠点を解消するためにケーシングと、前記ケーシング内に摺動自在に組込まれたジョイントピースとから構成されたコントロールケーブル用中間接手の前記ジョイントピースに、コントロールケーブルの内索に固着されたニップルを係合し得る複数個の長孔の係合孔が穿設された構造が採用されている。
【０００５】
【作用】
本発明によるコントロールケーブル用中間継手の作用の一例を、２系統のコントロールケーブルが介在した場合で説明すると、一方系統のコントロールケーブルに於ける内索の中間部に固着されたニップルは、摺動自在にケーシング内に収納されたジョイントピースに穿設した一方の係合孔の操作手段側に係合当接され、他方系統のコントロールケーブルに於ける内索の中間部に固着されたニップルは、前記ジョイントピースに穿設した他方の係合孔の被操作手段側に係合当接してなり、かかる構造において一方系統のコントロールケーブルの内索を操作手段側方向に摺動させると、他方系統のコントロールケーブルの内索も前記ジョイントピースによって操作手段側方向に摺動させて二系統の被操作手段を同時に操作しうる。又他方系統のコントロールケーブルの内索を操作手段側方向に摺動させた場合、この内索に固着されたニップルは前記ジョイントピ−スの前記係合孔内で前記ジョイントピースとは関係なく操作手段側方向に単独で摺動するので、他方系統の被操作手段だけを単独で操作しうる。
【０００６】
前記と多少異なる構成の他の作用例として、一方系統のコントロールケーブルの内索が操作手段側と被操作手段側に二分割された構造で、それぞれの索端に固着されたニップルが一方の係合孔の操作手段側と被操作手段側に係合当接されており他方系統のコントロールケーブルは前項と同様に、内索の中間部に固着されたニップルは、前記ジョイントピースに穿設された他方の係合孔の被操作手段側に係合当接されてなり、一方系統の内索を操作手段側方向に摺動させると、他方系統の内索も前記ジョイントピースによって操作手段方向に摺動して２系統の被操作手段を同時に操作しうる。又他方系統のコントロールケーブルの内索を操作手段側方向に摺動させた場合、この内索に固着されたニップルは前記ジョイントピ−スの前記係合孔内で前記ジョイントピースとは関係なく操作手段側方向に単独で摺動するので、他方系統の被操作手段だけを単独で操作しうる。
【０００７】
【発明の実施の形態】
以下、添付の図面を参照して本発明の好ましい実施の形態を説明する。図１は本発明の一使用例で２本のコントロールケーブルを用いた場合であり、いずれのコントロールケーブルをも作動させていない状態を示す。中間接手１のケーシング2内にジョイントピース3がＣ，Ｄ矢指方向へ摺動自在に組込まれ、ジョイントピース３に一対の長孔である係合孔４ａ，４ｂ、が穿設されている。一方、ケーブルＡの内索５aの中間部に固着されたニップル６aは、前記係合孔４aの操作手段側に係合当接されており、ケーブルＢの内索５ｂの中間部に固着されたニップル６ｂは、前記係合孔４ｂの被操作手段側に係合当接されている。
【０００８】
かかる構造において、ケーブルＡの内索５ａをＣ矢指方向に操作すると、図２に示した如くジョイントピース３をＣ矢指方向に摺動させ、従って内索５ｂも同時にＣ矢指方向に摺動する。即ち、ケーブルＡのＣ矢指方向への操作によって、ケーブルＢも連動してＣ矢指方向へ同時に操作し得る。次に図1の状態からケーブルＢの内索５ｂをＣ矢指方向に摺動すると、ニップル６ｂは図３で示した如く、ジョイントピース３の係合孔4ｂに関係なく単独でＣ矢指方向に摺動してケーブルＢのみを操作し得る。
【０００９】
この作用を自転車のブレーキ装置に当てはめると、ケーブルＡが前ブレーキケーブルであり、ケーブルＢを後ブレーキケーブルと仮定した場合、前ブレーキケーブル（ケーブルＡ）をＣ矢指方向に操作した時、ジョイントピース３によって後ブレーキケーブル（ケーブルＢ）も同時にＣ矢指方向に操作されるので、前後輪のブレーキ装置を同時に操作し得る。又、後ブレーキケーブル（ケーブルＢ）をＣ矢指方向に操作した時、ニップル６ｂは、ジョイントピース３に関係なくＣ矢指方向に摺動するので、後ブレーキのみを操作し得る。
【００１０】
図４は本発明の中間接手を用いて、構成の異なるコントロールケーブルを装着した一使用例であって、ケーブルＡを２分割し、それぞれの内索の端部にニップル６ｃ、６ｄを固着してなり、前記ニップル6ｃはジョイントピース3に穿設された一方の係止孔4ａの操作手段側に、ニップル6ｄは被操作手段側に当接させてある。ケーブルＢは一体化された前項と同じ構造のものを用いている。即ち３本のケーブルからなる構成で、ケーブルＢの中間部に固着されたニップル６ｂが係合孔４ｂの被操作手段側に係合当接している構造である。
【００１１】
かかる構造において、ケーブルＡ１の内索５ｃをＣ矢指方向に操作すると、図５に示したように、ジョイントピース３がＣ矢指方向に摺動し、従って内索５ｂもＣ矢指方向に同時に摺動してケーブルＢをＣ矢指方向に摺動させる。図６は図4の状態からケーブルＢをＣ矢指方向に操作した時の状態であって、この場合、ケーブルＡ１，Ａ２に関係なくケーブルＢのみがＣ矢指方向に単独で摺動する。
【００１２】
図７は本発明の中間接手を装着した他の実施例であって、図４で装着した構成のコントロールケーブルと同じであるが、ケーブルＢの中間部に固着されたニップル６ｂが係合孔４ｂの操作手段側に係合当接している構成である。この構成のケーブルの組合せにおいては、ケーブルＢの内索５ｂをＣ矢指方向に摺動させた場合、図８に示したようにジョイントピース３がＣ矢指方向に摺動すると共にケーブルＡ２の内索５ｄも共にＣ矢指方向に摺動するので、２系統のケーブルを同時に操作することが出来る、この場合内索５ｃは遊んだ状態である。次にケーブルＡ１の内索５ｃをＣ矢指方向に摺動させると、図９に示したように、ジョイントピース３がＣ矢指方向に摺動し、同時にケーブルＡ２の内索５ｄはケーブルＢの内索５ｂに関係なくＣ矢指方向に単独で摺動する。
【００１３】
本発明のコントロールケーブル用中間接手は基本的には、図１から図３で説明した作用を特徴とするものであるが、それに介在するコントロールケーブルの構成と使用法によって更に優れた効果を発揮し得る。
尚以上の説明においては２系統のコントロールケーブルを対象として記述したが、これに限定するものでないことは言うまでもない。
【００１４】
【発明の効果】
本発明によるコントロールケーブル用中間接手を採用することで極めて小型でありながら、複数の操作手段によって複数又は特定の被操作手段を選択的に適宜遠隔操作し得る優れた発明である。
【図面の簡単な説明】
【図１】本発明の一使用例でコントロールケーブルを介在させた作動前の状態を示す要部の一部切欠正面図。
【図２】図１においてケーブルＡの操作で複数の被操作手段側のコントロールケーブルを作動させた状態を示す要部の一部切欠正面図。
【図３】図１においてケーブルＢの操作で単独のコントロールケーブル（ケーブルＢ）を作動させた状態を示す要部の一部切欠正面図。
【図４】本発明の他の使用例でコントロールケーブルを介在させた作動前の状態を示す要部の一部切欠正面図。
【図５】図４においてケーブルＡの操作で複数の被操作手段側のコントロールケーブルを作動させた状態を示す要部の一部切欠正面図。
【図６】図４においてケーブルＢの操作で単独のコントロールケーブル（ケーブルＢ）を作動させた状態を示す要部の一部切欠正面図。
【図７】本発明のその他の使用例でコントロールケーブルを介在させた作動前の状態を示す要部の一部切欠正面図。
【図８】図７においてケーブルＢの操作で複数の被操作手段側のコントロールケーブルを作動させた状態を示す要部の一部切欠正面図。
【図９】図７においてケーブルＡの操作で単独のコントロールケーブル（ケーブルＡ２）を作動させた状態を示す要部の一部切欠正面図。
【符号の説明】
１：中間接手
２：ケーシング
３：ジョイントピース
４ａ：係合孔
４ｂ：係合孔
５ａ：内索
５ｂ：内索
５ｃ：内索
５ｄ：内索
６ａ：ニップル
６ｂ：ニップル
６ｃ：ニップル
６ｄ：ニップル
【図１】
0003920090.tif 000002
【図２】
0003920090.tif 000003
【図３】
0003920090.tif 000004
【図４】
0003920090.tif 000005
【図５】
0003920090.tif 000006
【図６】
0003920090.tif 000007
【図７】
0003920090.tif 000008
【図８】
0003920090.tif 000009
【図９】
0003920090.tif 000010